(57)【要約】【課題】使用者にとって洗濯槽内の洗濯物と取りやすくして、使い勝手を向上させること。【解決手段】略中央底部に被洗浄物を攪拌するパルセータを有した洗濯兼脱水槽と、前記洗濯兼脱水槽を内部に回転自在に設置した水槽と、前記パルセータおよび洗濯兼脱水槽を回転させる駆動手段と、被洗浄物を出し入れする投入口を開閉する蓋と、蓋が開くことで水槽の傾斜角度を大きく、蓋が閉じることで水槽の傾斜角度を小さくする水槽傾斜手段を備える。【選択図】図１
2015062627.tif 000002
【特許請求の範囲】
【請求項１】
略中央底部に被洗浄物を攪拌するパルセータを有した洗濯兼脱水槽と、前記洗濯兼脱水槽を内部に回転自在に設置した水槽と、前記パルセータおよび洗濯兼脱水槽を回転させる駆動手段と、被洗浄物を出し入れする投入口を開閉する蓋と、蓋が開くことで水槽の傾斜角度を大きく、蓋が閉じることで水槽の傾斜角度を小さくする水槽傾斜手段を備えた洗濯機。
【請求項２】
前記水槽傾斜手段は、使用者が前記蓋を開閉するのに必要な力を軽減する開閉力軽減手段を備えた請求項１に記載の洗濯機。
【請求項３】
前記水槽傾斜手段は、前記水槽内の重量が所定量を超えたときに、前記水槽を略直立状態に維持する過負荷解除手段を備えた請求項１または２に記載の洗濯機。
【請求項４】
前記水槽を吊るして筐体の略上部に接続される吊り棒を備え、前記水槽傾斜手段は、少なくとも前記吊り棒を略上下動させる請求項１〜３に記載の洗濯機。
【発明の詳細な説明】
【技術分野】
【０００１】
本発明は、使い勝手を向上させる洗濯機に関するものである。
【背景技術】
【０００２】
従来、この種の洗濯機１は図８に示すような構成をしている。以下、その構成について説明する。
【０００３】
図８に示す従来の洗濯機１の縦断面図において、洗濯機１は、４本の吊り棒２が筐体３の四隅上部３ａに配置されていて、４本の吊り棒２は水槽４の下部４ａを１箇所ずつ計４箇所吊り下げている。
【０００４】
吊り棒２についての詳細を説明する。
【０００５】
図９（ａ）および図９（ｂ）に示すように、筐体３の四隅上部３ａには、吊り棒２を支持する筐体補強５が備えられており、吊り棒２には、図９（ａ）および図１０に示すように、この筐体補強５の球面部５ａと球面接触する水槽支持部６が設けられている。また、図１０および図１１に示すように、水槽４の下部４ａと球面接触する水槽支持部７が吊り棒２の下部に設けられている。水槽支持部７には、バネ８とダンパ９が備えられていて洗濯機１の運転中の振動を制御するものである。
【０００６】
水槽４は、吊り棒２により水槽４の下部４ａが吊り下げられているので、自由に振れ回ることが可能である。
【０００７】
水槽４の内部には、洗濯兼脱水槽１０が脱水時に回転できるように設けられている。洗濯兼脱水槽１０は、底部にパルセータ１１を回転自在に配設し、下側羽根１２がパルセータ１１と一体に設けられている。
【０００８】
駆動手段１３は、減速機構１４および回転軸１５を介してパルセータ１１または洗濯兼脱水槽１０を駆動する。
【０００９】
リント水路１６は、パルセータ１１の下側羽根１２外周のポンプ室１７から洗濯兼脱水槽１０の上部または中部に至るように設け、上部または中部に着脱可能なリントフィルタ１８を設けている。
【００１０】
排水手段１９は、排水弁２０および排水ホース２１から構成されており、水槽４内の洗濯水およびすすぎ水を排水するものであり、給水弁２２は水槽４内に給水するものである。
【００１１】
洗濯兼脱水槽１０には、側面に水抜き穴１０ａが設けられており、水槽４および洗濯兼脱水槽１０内の洗濯水またはすすぎ水を排水し終わった状態で洗濯兼脱水槽１０が駆動手段１３により回転すると、被洗浄物２３が遠心力を受けて洗濯兼脱水槽１０の側面に移動し、被洗浄物２３に含まれている洗濯水およびすすぎ水が、遠心力により洗濯兼脱水槽１０の側面に設けた水抜き穴１０ａを介して水槽４へ移動していくものである。水抜き穴１０ａの大きさは、ブラジャーのフック等が引っかからない程度の大きさである。
【００１２】
洗濯兼脱水槽１０の上部には脱水時の振動を低減させるための流体バランサ２４を設けている。
【００１３】
洗濯機１の上部を構成する上部枠体２５に蓋２６を開閉自在に設け、また、その前方に制御手段２７を設けている。
【００１４】
なお、水槽４内の水位は水位検知手段３０により検知されるものである。また、蓋２６を開くと投入口３１が現れて被洗浄物２３を出し入れできるようになっている。また、運転中は、蓋２６を閉じることで投入口３１が覆われてしまうので、使用者が洗濯兼脱水槽１０内に手を入れたりする恐れがなく安全である。
【００１５】
上記構成において動作を説明すると、使用者が洗濯したい被洗浄物２３を洗濯兼脱水槽１０に洗剤とともに投入し、スタートボタン(図示しない)を押すことで、給水弁２２から所定量の洗濯水が水槽４に供給される。洗濯水が供給されると、減速機構１４および回転軸１５を介して駆動手段１３により、パルセータ１１が所定の回転数で回転して、洗濯兼脱水槽１０内の洗濯水および被洗浄物２３を攪拌して被洗浄物２３から汚れを落とす洗い行程が行われる。
【００１６】
所定時間の洗い行程が終了すると、排水弁２０が動作して水槽４内の洗濯水を排水し、排水が終わると、減速機構１４および回転軸１５を介して駆動手段１３により、洗濯兼脱水槽１０が所定の回転数で回転して、被洗浄物２３が含んでいる洗濯水を被洗浄物２３から分離して排水する第一の脱水行程が行われる。
【００１７】
第一の脱水行程が所定時間行われると、再び給水弁２２から所定量のすすぎ水が水槽４に供給され、パルセータ１１が所定の回転数で回転して、洗濯兼脱水槽１０内のすすぎ水および被洗浄物２３を攪拌して被洗浄物２３に残っている洗剤成分を除去するすすぎ行程が行われる。
【００１８】
所定時間のすすぎ行程が終了すると、排水弁２０が動作して水槽４内のすすぎ水を排水し、排水が終わると、駆動手段１３により洗濯兼脱水槽１０が所定の回転数で回転して、被洗浄物２３が含んでいるすすぎ水を被洗浄物２３から分離して排水する第二の脱水行程が行われる。その後、再びすすぎ水が供給されて最終すすぎ行程が行われる。
最終すすぎ行程が終了すると、水槽４内のすすぎ水が排水され、排水が終わると、駆動手段１３により洗濯兼脱水槽１０が所定の回転数で回転して、被洗浄物２３が含んでいるすすぎ水を被洗浄物２３から分離して排水する最終脱水行程が行われて運転が終了する（特許文献１参照）。
【先行技術文献】
【特許文献】
【００１９】
【特許文献１】特開平８−１９６７８２号公報
【特許文献２】特開２００７−２７５５４４号公報
【発明の概要】
【発明が解決しようとする課題】
【００２０】
しかしながら、図８に示されるような従来の洗濯機１の構成では、以下のような課題がある。
【００２１】
夫婦の共働きの増加に伴い、家族の洗濯は週末のまとめ洗いが増加しており、一度に洗える被洗浄物２３の大容量化が洗濯機１に求められている。
【００２２】
そのため、洗濯兼脱水槽１０の大容量化が必要となってきているが、洗濯兼脱水槽１０を大容量化するには、洗濯兼脱水槽１０の内径を大きくするか、深さを深くするか、また
はその両方を行うかが必要となる。
【００２３】
しかしながら、洗濯兼脱水槽１０の内径を大きくすると、洗濯機１の幅および奥行きの製品サイズが大きくなって、洗濯機１が設置できないという課題が発生する。
洗濯兼脱水槽１０の深さを深くすると、洗濯兼脱水槽１０の底部が洗濯機１の下部に配置されるので、図１２に示すように、洗濯兼脱水槽１０の底部手前２８にある被洗浄物２３が見えなかって取り忘れてしまったり、洗濯兼脱水槽１０の底部奥２９の距離Ｌ１が洗濯機１の前上部から遠くなるので被洗浄物２３を取り出しにくくなってしまったりするという課題が発生する。
【００２４】
前記課題を解決するために、衣類等の被洗浄物２３を取り出したり投入したりするときには、水槽４を傾斜させた状態にすることが提案されている（特許文献２参照）。
しかしながら、この構成においては、電源ＯＦＦで蓋２６を開けても水槽４は傾斜しないため、従来の洗濯機１と同様の状態となり、使い勝手が向上しない。
【００２５】
また、電源ＯＮしてから水槽４が所定角度まで傾斜し、傾斜終了後に、蓋２６の蓋ロックが開放されるため、蓋２６をすぐに開いて衣類等の被洗浄物２３を投入することができず、使い勝手が非常に悪いものである。
【００２６】
また、運転終了後、水槽４を傾斜した状態にする制御とすると、傾斜手段等に長期間負荷がかかった状態となり、耐久性、信頼性に悪影響を及ぼす。
本発明は、前記問題に鑑み、コンセントをＯＦＦにした状態においても、被洗浄物等の出し入れを容易にして、使い勝手を向上させることを目的としている。
【課題を解決するための手段】
【００２７】
前記従来の課題を解決するため、本発明の洗濯機は、略中央底部に被洗浄物を攪拌するパルセータを有した洗濯兼脱水槽と、洗濯兼脱水槽を内部に回転自在に設置した水槽と、パルセータおよび洗濯兼脱水槽を回転させる駆動手段と、被洗浄物を出し入れする投入口を開閉する蓋と、蓋が開くことで水槽の傾斜角度を大きく、蓋が閉じることで水槽の傾斜角度を小さくする水槽傾斜手段を備えたものである。
【００２８】
これにより、洗濯機に被洗浄物を入れるために使用者が蓋を開くと、電源がＯＦＦの状態でも水槽傾斜手段が所定角度に水槽を傾斜させるので、洗濯兼脱水槽の中を覗き込まなくても見ることができるので、被洗浄物の投入が容易になる。
【００２９】
そして、被洗浄物を投入し、蓋を閉じると、水槽傾斜手段が水槽を直立させ、水槽を直立した状態で被洗浄物を洗濯するので、運転時は従来と同等の洗濯、すすぎ、脱水性能を得ることができる。
【００３０】
さらに、運転終了後、被洗浄物を取り出すために使用者が蓋を開くと、水槽傾斜手段により水槽および洗濯兼脱水槽を所定角度に傾斜させるので、被洗浄物の取り出しが容易になる。また、被洗浄物を洗濯兼脱水槽の上部から取り出していくと、洗濯兼脱水槽の底部手前および底部手前にある被洗浄物を、洗濯兼脱水槽内を覗き込まなくても見ることができ、取り出し忘れて干し忘れることを防止することができる。
【００３１】
同時に、洗濯兼脱水槽の底部奥が上方に移動して使用者に近づくので、使用者は、洗濯兼脱水槽の底部奥が上方に移動する分だけ、手を洗濯兼脱水槽の底部奥に入れなくても被洗浄物を取り出すことができる。
【発明の効果】
【００３２】
本発明の洗濯機は、請求項１の構成にしたことにより、電源がＯＦＦの状態においても、使用者が被洗浄物を出し入れするときは、洗濯兼脱水槽が傾斜した状態のため、使用者は洗濯兼脱水槽内を覗き込まなくても見ることができるので、被洗浄物の出し入れを向上させることができ、使い勝手の良い洗濯機を提供することができる。
【図面の簡単な説明】
【００３３】
【図１】本発明の実施例の洗濯機の前後方向の縦断面図
【図２】（ａ）同洗濯機の吊り棒と筐体との接続近傍図（ｂ）同洗濯機の筐体補強を上方から見た図
【図３】同洗濯機の吊り棒の水槽支持部近傍図
【図４】同洗濯機の水槽および洗濯兼脱水槽が傾斜した場合の前後方向の縦断面図
【図５】同洗濯機の水槽および洗濯兼脱水槽が傾斜した状態で使用者が洗濯兼脱水槽を見た場合の縦断面図
【図６】同洗濯機の水槽に水が有る場合と無い場合の水槽の位置関係を表す図
【図７】同洗濯機の水槽に水が有る状態で蓋を開いた場合の前後方向の縦断面図
【図８】従来の洗濯機の前後方向の縦断面図
【図９】（ａ）同洗濯機の吊り棒と筐体との接続近傍図（ｂ）同洗濯機の筐体補強を上方から見た図
【図１０】同洗濯機の吊り棒の構成図
【図１１】同洗濯機の吊り棒の水槽支持部近傍図
【図１２】同洗濯機の水槽および洗濯兼脱水槽が傾斜した状態で使用者が洗濯兼脱水槽を見た場合の縦断面図
【発明を実施するための形態】
【００３４】
第１の発明は、略中央底部に被洗浄物を攪拌するパルセータを有した洗濯兼脱水槽と、洗濯兼脱水槽を内部に回転自在に設置した水槽と、パルセータおよび洗濯兼脱水槽を回転させる駆動手段と、被洗浄物を出し入れする投入口を開閉する蓋と、蓋が開くことで水槽の傾斜角度を大きく、蓋が閉じることで水槽の傾斜角度を小さくする水槽傾斜手段を備えたものであり、洗濯機に被洗浄物を入れるために使用者が蓋を開くと、電源がＯＦＦの状態でも水槽傾斜手段が所定角度に水槽を傾斜させるので、洗濯兼脱水槽の中を覗き込まなくても見ることができるので、被洗浄物の投入が容易になる。
【００３５】
そして、被洗浄物を投入し、蓋を閉じると、水槽傾斜手段が水槽を直立させ、水槽を直立した状態で被洗浄物を洗濯するので、運転時は従来と同等の洗濯、すすぎ、脱水性能を得ることができる。
【００３６】
さらに、運転終了後、被洗浄物を取り出すために使用者が蓋を開くと、水槽傾斜手段により水槽および洗濯兼脱水槽を所定角度に傾斜させるので、被洗浄物の取り出しが容易になる。また、被洗浄物を洗濯兼脱水槽の上部から取り出していくと、洗濯兼脱水槽の底部手前および底部手前にある被洗浄物を、洗濯兼脱水槽内を覗き込まなくても見ることができ、取り出し忘れて干し忘れることを防止することができる。
【００３７】
同時に、洗濯兼脱水槽の底部奥が上方に移動して使用者に近づくので、使用者は、洗濯兼脱水槽の底部奥が上方に移動する分だけ、手を洗濯兼脱水槽の底部奥に入れなくても被洗浄物を取り出すことができる。
【００３８】
したがって、電源がＯＦＦの状態においても、使用者が被洗浄物を出し入れするときは、洗濯兼脱水槽が傾斜した状態のため、使用者は洗濯兼脱水槽内を覗き込まなくても見ることができるので、被洗浄物の出し入れを向上させることができ、使い勝手の良い洗濯機を提供することができる。
【００３９】
第２の発明は、特に、第１の発明の水槽傾斜手段は、使用者が蓋を開閉するのに必要な力を軽減する開閉力軽減手段を備えたものであり、より少ない力で水槽を傾斜させることができるため、使用者の負担を軽減し、より使い勝手を向上することができる。
【００４０】
第３の発明は、特に、第１〜第２の発明の水槽傾斜手段は、水槽内の重量が所定量を超えたときに、水槽を略直立状態に維持する過負荷解除手段を備えたものであり、濡れた衣類や洗濯水で水槽の重量が大きい場合でも、使用者は少ない力で蓋を開くことができる。
【００４１】
第４の発明は、特に、第１〜第３の発明の水槽を吊るして筐体の略上部に接続される吊り棒を備え、水槽傾斜手段は、少なくとも吊り棒を略上下動させるものであり、水槽は略上下動させる吊り棒と反対の吊り棒の水槽支持部を支点として傾斜したり直立したりすることになる。
【００４２】
そのため、水槽を傾斜させるための支点を新たに設けることもなく水槽を傾斜させることができ、吊り棒は、直立時と略同等の力を受けた状態で略上下動することになるので、水槽の傾斜により偏荷重等を受けて耐久性が低下するのを防止することができる。
【００４３】
同時に、水槽を直立させて運転させる時は、水槽や吊り棒等、運転時の振動等に関係する部品は、水槽傾斜手段からの力を受けない状態にすれば従来と同等の運転状態になり、従来から新たな問題を発生させることなく運転することができるが、水槽は水の有無による重量差による吊り棒のバネの伸縮により、水が有る場合と無い場合で高さ方向が変化するのに対して、吊り棒の筐体補強と接触する筐体支持部の位置は、水槽内の水の有無に関係なく同じ高さなので、水槽傾斜手段のストロークは、水が有る場合と無い場合での高さ方向の変化量を省略することができる。それゆえ、水槽傾斜手段は蓋の開閉に、より連動して水槽を傾斜させたり直立させたりすることができる、すなわち、蓋の開閉に対してレスポンス良く水槽を傾斜させたり直立させたりすることができ、使い勝手のより良い洗濯機にすることができる。
【００４４】
以下、本発明の実施例について、図面を参照しながら説明する。なお、従来例と同じ構成のものは同一符号を付して説明を省略する。
【００４５】
（実施の形態１）
図１に示す洗濯機１において、４本の吊り棒２を筐体３の四隅上部３ａに配置し、４本の吊り棒２により水槽４の下部４ａが４箇所吊り下げられている。
筐体３の四隅上部３ａには、図２（ａ）および図２（ｂ）に示すように、吊り棒２を支持する筐体補強５を備えており、吊り棒２は、筐体補強５の球面部５ａと球面接触する水槽支持部６を設けている。また、図３に示すように、水槽４の下部４ａと球面接触する水槽支持部７を吊り棒２の下部に設けている。水槽支持部７は、バネ８とダンパ９を備えており洗濯機１の運転中の振動を制御するものである。
【００４６】
吊り棒２は、図２（ａ）に示すように、上端部２ａが略円形や略三角形、略四角形等の形状をしており、他の部品と連結できる形状になっている。吊り棒２と水槽支持部６は嵌合し、一緒に動作するものである。４本の吊り棒２により４ヶ所の水槽４の下部４ａが吊り下げられているので、水槽４は自由に振れ回ることが可能となる。
【００４７】
水槽４の内部には洗濯兼脱水槽１０が脱水回転可能に設けられている。洗濯兼脱水槽１０は、底部にパルセータ１１が回転自在に配設されている。駆動手段１３は、減速機構（図示せず）および回転軸１５を介してパルセータ１１または洗濯兼脱水槽１０を駆動する。
【００４８】
排水手段１９は、排水弁２０および排水ホース２１から構成され、水槽４内の洗濯水やすすぎ水を排水するものである。また、排水ホース２１は筐体３と接続されているが、水槽４の脱水時の振れ回りに対応するため、蛇腹や伸縮ホースで形成されているので、図４に示すように、水槽４が傾斜しても排水ホース２１は折れ曲がらずに変形することが可能であり、水槽４の傾斜や直立を繰り返すことにより穴が開いてしまうということは発生しないものである。洗濯兼脱水槽１０の上部には、脱水時の振動を低減させるための流体バランサ２４が設けられている。
【００４９】
また、筐体３の後方に配置された吊り棒２を上下動させる水槽傾斜手段３２が備えられており、水槽傾斜手段３２は、吊り棒２の上端部２ａと蓋２６とを連結するワイヤ３３（ベルト、あるいは多関節の剛体リンク機構などでもよい）、ワイヤ３３の摺動性を向上させるプーリ３４とで構成されている。そして、蓋２６を開くことによりワイヤ３３を引っ張ると吊り棒２は略上方へ引き上げられるので、図４に示すように、水槽４の後下部が持ち上げられ、水槽４が前側に傾斜することになる。一方、蓋２６を閉めることでワイヤ３３を緩めると吊り棒２は略下方へ下がって筐体補強５と球面接触するので、図１に示すように、水槽４の傾斜角度は小さくなり、略直立状態となる。
【００５０】
また、水槽傾斜手段は、使用者が蓋２６を開閉するのに必要な力を軽減する開閉力軽減手段３５を備えている。本実施例においては、蓋２６の回転軸３６と、蓋２６とワイヤ３３の接続部の距離が、使用者が蓋２６を開閉する際に掴む蓋把持部３７との距離よりも短くなるよう配置することで、てこの原理で開閉力を軽減するよう構成している。これにより、より少ない力で水槽を傾斜させることができるため、使用者の負担を軽減し、より使い勝手を向上することができる。なお、ギアや動滑車など、他の手段を開閉力軽減手段としてもよい。
【００５１】
また、水槽傾斜手段３２は、洗濯兼脱水槽１０内の重量が所定量を超えるときに、蓋２６が開いていても水槽４を略直立状態とする過負荷解除手段としてバネ３８を備える。
【００５２】
上記構成において動作を説明する。使用者が蓋２６を開くと、蓋がワイヤ３３を所定量引っ張って筐体３の後ろ側に配置された吊り棒２を略上方に所定量引き上げる。筐体３の後ろ側に配置された吊り棒２を所定量引き上げることで、前側の吊り棒２の水槽支持部７を支点に水槽４が前側に回転して所定角度に傾斜することになる。その結果、図４および図５に示すように、使用者が所定の位置に立って洗濯兼脱水槽１０を見ると、今まで見えなかった洗濯兼脱水槽１０の底部手前２８を見ることができる、すなわち、洗濯兼脱水槽１０の中を覗き込まなくても見ることができるので、被洗浄物２３の投入が容易になる。
【００５３】
なお、水槽傾斜手段３２により力を作用させるのを、吊り棒２でなく、水槽支持部６や、筐体補強５、水槽４など他の箇所としてもよいが、吊り棒２を略上下させることで、水槽を傾斜させるための支点を新たに設けることもなく水槽を傾斜させることができ、吊り棒２は、直立時と略同等の力を受けた状態で略上下動することになるので、水槽の傾斜により偏荷重等を受けて耐久性が低下するのを防止することができる。
【００５４】
また、洗濯兼脱水槽１０の底部奥２９の距離Ｌ２が水槽４が傾斜することにより、洗濯機１の前上部から近くなるので被洗浄物２３を取り出しやすくなる。
【００５５】
さらに、図６に示すように、水槽傾斜手段３２が水槽４を直接引き上げて傾斜させるような場合では、水槽４を直立させて運転する時は水槽４は水の有無による重量差による吊り棒２のバネ８の伸縮により、水が有る場合と無い場合で高さ方向が変化する（例えば、（水槽４内の溢水まで水が有る場合：ラインＡ）−（水槽４内に水が無い場合：ラインＢ
）＝３０ｍｍ）ので、水槽傾斜手段３２は、運転時は水の有無による水槽４の高さ方向の変化量も考慮に入れて水槽傾斜手段３２からの力を受けない状態にする、すなわち、水の有無による水槽４の高さ方向の変化量の分も加えて水槽傾斜手段３２のワイヤ３３をたるませる必要があるのを、吊り棒２の筐体補強５と接触する筐体支持部６の位置は、水槽４内の水の有無に関係なく、すなわち、図６において水槽４がラインＡやラインＢの位置にあっても同じ高さなので、水が有る場合と無い場合で高さ方向が変化する変化量（Ａ−Ｂ）を加えないで水槽傾斜手段３２のワイヤ３３をたるませることができる。
【００５６】
すなわち、図１および図４に示すように、吊り棒２を引き上げる構成にすれば、水の有無による水槽４の高さ方向の変化量（Ａ−Ｂ）を考慮に入れる必要が無いので、その分だけ、水槽傾斜手段３２がワイヤ３３を引っ張ったりたるませたりする量を減少させることができ、蓋２６の開閉に、より連動して水槽４を傾斜させたり直立させたりすることができる。すなわち、蓋２６の開閉に対してレスポンス良く水槽４を傾斜させたり直立させたりすることができ、使い勝手のより良い洗濯機１にすることができる。
【００５７】
また、本実施例では、蓋２６が開いた状態においては、図４に示したように、水槽傾斜手段３２から蓋２６に加わる力が、蓋を開く方向に働くようワイヤ３３と蓋２６の接続部３９を配置し、蓋２６を開いた状態で固定させている。これにより、蓋を開いているときに濡れた衣類などの重量物を投入したり、使用者が水槽４を押し下げた場合に、ワイヤ３３に引かれて蓋２６が閉じることを防ぐことができる。
【００５８】
次に、水槽４を介して所定角度に傾斜した洗濯兼脱水槽１０に衣類等の被洗浄物２３を投入する。このとき、傾斜状態で濡れて重くなった衣類や、風呂水給水などを水槽に投入され、水槽内の重量が大きくなると、図５に示したように過負荷解除手段であるバネ３８が伸びて吊り棒２は略下方へ下がって筐体補強５と球面接触し、水槽４の重量を筐体補強５が支える従来の洗濯機と同様の状態となる。これにより、大きな荷重が蓋２６やプーリ３４などに加わり、変形や破損することを防ぎ、耐久性、信頼性を高めることができる。ばね３８は、トルクリミッタや磁石など他の手段を用いてもよい。
【００５９】
洗濯機１の電源を入れてスタートボタン（図示しない）を押し、蓋を閉めると、ワイヤ３３が緩められ、筐体３の後ろ側に配置された吊り棒２を筐体補強５の所定位置に収納し、水槽４を直立させる。
【００６０】
その後、洗濯兼脱水槽１０内に所定量の洗濯水が供給される。所定量の洗濯水が供給されるとパルセータ１１が正逆回転して被洗浄物２３を洗う洗い行程が行われる。
【００６１】
所定時間の洗い行程が終了すると排水弁２０により水槽４内の洗濯水が洗濯機１外へ排水される。そして、洗濯水が排水されると駆動手段１３により洗濯兼脱水槽１０が所定の回転数で回転して、被洗浄物２３が含んでいる洗濯水を被洗浄物２３から分離して排水する第一の脱水行程が行われる。
【００６２】
第一の脱水行程が終了すると、再び所定量のすすぎ水が水槽４に供給されてパルセータ１１が正逆回転し、被洗浄物２３をすすぐ第一のすすぎ行程が行われる。第一のすすぎ行程が終了すると、水槽４内のすすぎ水が洗濯機１外へ排水され、駆動手段１３により洗濯兼脱水槽１０が所定の回転数で回転して、被洗浄物２３が含んでいるすすぎ水を被洗浄物２３から分離して排水する第二の脱水行程が行われる。さらに、すすぎ水が供給されて最終すすぎ行程が行われ、その後、水槽４内のすすぎ水が排水され、洗濯兼脱水槽１０が所定の回転数で回転する最終脱水行程が行われる。
【００６３】
最終脱水行程が行われると、被洗浄物２３を洗濯する運転が終了する。
【００６４】
なお、上記のように、被洗浄物２３を洗濯することと関連する運転中は、ワイヤ３３がたるむ状態にまで緩めることで、吊り棒２にはワイヤ３３により引き上げる力が働かないので、洗濯機１の運転は従来と同等のものである。
【００６５】
洗濯が終了した被洗浄物２３を取り出すために、使用者が蓋２６を開くと、ワイヤ３３を引っ張って、吊り棒２を介して水槽４および洗濯兼脱水槽１０を所定角度に傾斜させる。このとき、蓋を開ける動作において、水槽４内に濡れた衣類や水が入っていると、水槽傾斜手段３２を通じて蓋２６を閉める方向に大きな力が働き、蓋を開くことができない。
【００６６】
しかし、本実施例においては、過負荷解除手段であるバネ３８が伸び、図７のように水槽４は略直立したままで蓋２６を開くことができる。さらに、使用者が衣類を取り出すにつれて水槽内の重量が軽くなると、過負荷解除手段のバネ３８が縮み、図４のように水槽が傾斜するため、使用者は洗濯兼脱水槽１０の底部手前２８部分も、洗濯兼脱水槽１０内を覗き込まなくても見ることができ、洗濯兼脱水槽１０の底部手前２８部分にある被洗浄物２３を確実に見ることができ、取り出し忘れて干し忘れることを防止することができる。
【００６７】
同時に、洗濯兼脱水槽１０の底部奥２９が上方に移動する、すなわち、使用者に近づくので、使用者は、従来では、かがんで手を洗濯兼脱水槽１０の底部奥２９に向けて入れていかなければ取り出せなかった被洗浄物２３を、洗濯兼脱水槽１０の底部奥２９が上方に移動する分だけ、手を洗濯兼脱水槽１０の底部奥に入れなくても被洗浄物２３を取り出すことができる。
【００６８】
被洗浄物２３を取り出した後、使用者が蓋２６を閉じると、ワイヤ３３が緩まり水槽４を略直立させる。蓋２６が閉じられて洗濯機１が放置されていると、吊り棒２は筐体補強５で支持されるので、水槽４の直立状態は従来品と同等の状態にあり水槽４および水槽４に付属する部品等には従来と同等の負荷しかかからないので特に問題が生じるものではない。
【産業上の利用可能性】
【００６９】
以上のように、本発明にかかる洗濯機は、被洗浄物を取り出しやすくすることができるので、家庭用の洗濯機だけでなく、業務用の洗濯機の用途にも適用できる。
【符号の説明】
【００７０】
１      洗濯機
２      吊り棒
４      水槽
１０    洗濯兼脱水槽
１１    パルセータ
１３    駆動手段
２３    被洗浄物
２６    蓋
３２    水槽傾斜手段
３５    開閉力軽減手段
３８    ばね（過負荷解除手段）
【図１】
2015062627.tif 000003
【図２】
2015062627.tif 000004
【図３】
2015062627.tif 000005
【図４】
2015062627.tif 000006
【図５】
2015062627.tif 000007
【図６】
2015062627.tif 000008
【図７】
2015062627.tif 000009
【図８】
2015062627.tif 000010
【図９】
2015062627.tif 000011
【図１０】
2015062627.tif 000012
【図１１】
2015062627.tif 000013
【図１２】
2015062627.tif 000014